(57)【要約】【課題】従来の押圧式紙綴具は押え部材とばね負荷した操作部材が並列に配置され、操作部材の幅だけ紙葉の綴じスペースが減少する問題があり、表紙や台紙をその分だけ大きくする必要があった。【解決手段】ベース板（１１）と、ベース板（１１）に対して離間接近可能に設けられた押え部材（１３）と、前記押え部材（１３）に一端が枢着された移動可能な操作部材（１２）と、捩りコイル部（４１）、第１脚部（４２）及び第２脚部（４３）とからなり、コイル部（４１）が前記押え部材（１３）に支持され、第１脚部（４２）の端部が前記ベース板（１１）に枢着され、第２脚部（４３）が前記操作部材（１２）に固着されているばね部材（４０）と、前記操作部材（１２）を綴じ込み位置で前記押え部材（１３）に解除可能に固定するロック部材（４４）とから構成された押圧式綴具により、課題を解決した。【選択図】図４
2005186569.tif 000002
【特許請求の範囲】
【請求項１】
ベース板（１１）と、ベース板（１１）に対して離間接近可能に設けられた押え部材（１３）と、前記押え部材（１３）に一端が枢着された移動可能な操作部材（１２）と、捩りコイル部（４１）、第１脚部（４２）及び第２脚部（４３）とからなり、コイル部（４１）が前記押え部材（１３）に支持され、第１脚部（４２）の端部が前記ベース板（１１）に枢着され、第２脚部（４３）が前記操作部材（１２）に固着されているばね部材（４０）と、前記操作部材（１２）を綴じ込み位置で前記押え部材（１３）に解除可能に固定するロック部材（４４）とから構成された押圧式綴具。
【請求項２】
前記ばね部材（４０）の前記第１脚部（４２）と前記操作部材（１２）とは、前記操作部材（１２）を綴じ込み状態でロックした場合に、紙葉を綴じ込むに充分な押圧力を前記押え部材（１３）とベース板（１１）の間に作用させるように角度づけされている請求項１に記載の綴具。
【請求項３】
前記押え部材（１３）は前記ベース板（１１）に対して平行に移動するように一端が前記ベース板（１１）に他端が前記押え部材（１３）に枢着された一対のリンク（１６、１７）で連結されている請求項１または２に記載の綴具。
【請求項４】
前記各リンク（１６、１７）は丸棒材からほぼコ字形にされ、その平行な両脚部が枢着部を構成している請求項３に記載の綴具。
【請求項５】
前記ベース板（１１）、前記押え部材（１３）、及び前記操作部材（１２）は上下に重畳関係に配置されている請求項１〜４のいずれかに記載の綴具。
【請求項６】
前記第２脚部（４３）は前記操作部材（１２）に沿い付けられた状態で固定されている請求項１〜５のいずれかに記載の綴具。
【請求項７】
前記ベース板は紙葉の端部をそろえるストッパ板（２４）を有する請求項１〜６のいずれかに記載の綴具。
【発明の詳細な説明】
【技術分野】
【０００１】
本発明は伝票、メモ用紙、その他の紙葉を綴じ込むための押圧式綴具に関する。
【背景技術】
【０００２】
押圧式綴具は複数枚の紙葉を重ねて綴じるために広く使用されている。特許文献１、２などに代表されるこの種の綴具は、例えば図８に示したように、厚紙、剛性プラスチック板、その他の素材から作られた台板や表紙に、鋲孔２２で取り付けられたベース板１１と、一端側が支持されて他端を自由端として移動可能な操作部材１２と、操作部材１２の移動によってベース板１１に対して離間接近可能に設けられた押え部材１３と、この押え部材と操作部材１２との間に設けられたばね部材１４と、押え部材１３が綴じ込み位置に設定されたときに操作部材１２をロックするロック手段１５とを備えている。紙葉を押え部材１３の下に挿入し、操作部材１２をばね部材１４の弾性に抗して押し下げ、ロック手段１５により操作部材１２をロックすると、押え部材１３はばね部材１４を介して操作部材１２から弾性力を受けてベース板１１の面に押圧されて保持される。ロック手段１５は操作部材１２に設けられたロック解除部材１９（プッシュ式またはスライド式）を操作することによりロックが解除されるので、手で操作部材１２を上方に移動させ、押え部材１３を紙葉から離間させ、紙葉を挿脱する。
【０００３】
なお、２０はベース板１１の押え部材１３が押圧される紙葉保持領域、２２はベース板１１を厚紙表紙や台板取り付けるための鋲孔、２４、２５は紙葉の縁部を揃えるストッパ板、１６、１７は押え部材１３をベース板１１の面に対してほぼ平行に移動させるために一端側がベース板から切り起こされている支持ブラケット２６、２８のそれぞれの軸受け孔３０、３１に支持され、他端側が押え部材１３に枢着されているリンク部材である。ばね部材１４は固定軸４６に支持されたコイル部ばね部７０を有し、一端が操作部材１２の底面に固着され、他端が押え部材１３に枢着されている。操作部材１２はその基部が軸受け板２７に支持された軸４６に枢着されている。従って操作部材１２を軸４６の周りに回すことで押え部材１３は紙葉保持面に対してほぼ平行に接近・離間する。
【０００４】
【特許文献１】特開２００３−２９１５７３号公報
【特許文献２】特開２００２−２４８８８３号公報
【発明の開示】
【発明が解決しようとする課題】
【０００５】
ところが、従来の押圧式綴具では、押え部材１３と操作部材１２とがベース板１１上に並列して配置されているため、綴具の全幅が広くならざるを得ず、紙葉を綴じるためのスペースの他に操作部材１２を取り付けるスペースを要する。操作部材１２が占有するスペースは紙葉を綴じる領域としては役立たないが、必要なスペースである。従って、表紙や台板の寸法を操作部材１２の取付幅だけ大きくしなければ、紙葉が表紙や台板からはみ出し、或いは綴具を背表紙付きのファイルの縁端部に沿って取り付ける場合には正規寸法の紙葉が綴じられなくなる問題がある。
【０００６】
本発明の目的は、押圧式綴具において、操作性と紙葉の保持能力を低下することなく、綴具の幅を押え部材を装着するに足りる幅まで減少し、従来の問題を解決し、綴具を固定する表紙や台板の幅寸法を充分に小さくした押圧式綴具を提供することにある。
【課題を解決するための手段】
【０００７】
従来、操作部材１２と押え部材１３はベース板上に並列して配置されるものとの固定観念に捕らわれており、今日まで両者を基板の同じ位置に配置することに着想したものはいない。本発明はこの前提に立ち鋭意研究し本発明を完成するに至った。
【０００８】
すなわち、本発明者は従来技術の発想を転換し、基板の同じ位置に押え部材１３と操作部材１２とを上下重畳関係に配置することにより、満足な押圧式綴具を提供することができた。
【０００９】
より詳しく述べると、本発明はベース板と、ベース板に対して接離可能に設けられた押え部材と、前記押え部材に一端が枢着された移動可能な操作部材と、捩りコイル部、第１脚部及び第２脚部とからなり、コイル部が前記押え部材に支持され、第１脚部の端部が前記ベース板に枢着され、第２脚部が前記操作部材に固着されているばね部材と、前記操作部材を綴じ込み位置で前記押え部材に解除可能に固定するロック手段とから構成された押圧式綴具を提供することにより、上記の課題を解決するものである。
【００１０】
本発明によると、従来操作部材を押え部材と重畳して配置することにより、操作部材のために必要であったスペースが不要となり、その分だけ紙葉の綴じ位置を表紙又は台紙の縁部側へずらすことが可能となり、同一寸法の紙葉をより小さい表紙や台紙に綴じることが可能となる。なお、ベース板を狭くすることは必ずしも必要ではないが、所望により従来の操作部材の幅分だけベース板を狭くすることが可能となる。
【発明を実施するための最良の形態】
【００１１】
前記ばね部材の前記第１脚部と前記操作部材とは、前記操作部材を綴じ込み状態でロックした場合に、紙葉を綴じ込むに充分な押圧力を前記押え部材とベース板の間に作用させるように角度づけされている。この押圧力はあらかじめばね部材の第１脚部と操作部材の角度を調節することにより押圧力を調整しておくことができる。また、綴じ込み可能な使用枚数はばねの第１脚部、及び平行リンクの長さで決まるが、長い場合にはばね部材の太さを太めに設定した上ばね部材のコイル部の巻数を増やすなど設計事項の調整を行えばよい。
【００１２】
本発明で使用するばね部材の構造は従来の構造とは根本的に異なる。従来の綴具では、ばね部材のコイル部がベース板に固定した軸に支持され、コイル部の一端から延びる第１脚部の端部が押え板に枢着されているのに対して、本発明ではばね部材のコイル部は押え部材に固定された軸により支持され、コイル部から延びる第１脚部の端部はベース板に枢着された固定軸となっていることである。
【００１３】
前記押え部材は前記ベース板に対して平行に移動するように一端が前記ベース板に他端が前記押え部材に枢着された一対のリンクで連結されている。このようなリンクは公知である。
【００１４】
また、前記各リンクは所望により丸棒材からほぼコ字形にされ、その平行な両脚部が枢着部を構成している。この形態では押え板を常時ベース板に対して平行に維持できる。このようなリンク構成も公知である。しかし、この場合にはベース板に支持されるリンクの脚部は基板上の取り付け位置に来るので外観を良くする必要があれば任意にカバーを施す。
【００１５】
前記第２脚部は前記操作部材に沿い付けられた状態で固定されているが、他の任意の固定方法を採用することができる。
また前記ベース板は紙葉の端部をそろえるストッパ板を有し、公知の任意のストッパを採用することが可能であるが、ベース板の一部を切り起こして使用するのが経済的である。
【００１６】
ロック手段及びロック解除ボタンは従来公知の任意のものを使用できる。例えば特許文献１に記載されたスライド式ロック解除ボタン、特許文献２に記載されたプッシュ式ロック解除ボタン等が使用できる。
【実施例】
【００１７】
以下、図面を参照して本発明を詳しく説明する。
図１は本発明の好ましい実施例の押圧式綴具の完全閉鎖状態の正面図であり、図２は同平面図であり、図３は同背面図である。図４は同綴具の完全開放状態の正面図である。
図５は相当量の紙葉を綴じ込んだ状態を示す同綴具の正面図であり、図６は紙葉を綴じ込んだ状態の左側面図である。なお図７はリンクの変形例を示す左側面図である。
なお理解を容易にするために従来例の綴具の構成部材の対応する部材は同じ参照符号を用いる。
【００１８】
本実施例による押圧式綴具は、ベース板１１と、ベース板１１に対して離間接近可能に設けられた押え部材１３と、押え部材１３に一端が枢着された移動可能な操作部材１２と、ばね部材４０と、押え部材１３をベース板１１に対してほぼ平行に維持するためのリンク１６、１７とから構成される。
【００１９】
ベース板１１は表紙や台紙に取り付けるための取付孔２２、伝票、白紙、その他の紙葉を押さえる紙葉保持領域２０、紙葉の一縁部を揃えるため保持領域の後縁部から起立したストッパ板４５を有する。ストッパ板４５は以下で述べるばね部材４０の下端の軸部４８及びリンク１６、１７の下端の軸部４７、４９を枢着するための軸受孔を有する軸受け板を兼ねている。ストッパ板４５には更に水平軸５１、ばね部材４０及びリンク１６、１７の移動時に邪魔にならないように逃げ５３、５６（リンク用）、逃げ５４（軸用）、逃げ５５（ばね用）を有する。
【００２０】
押え部材１３は断面が左右側面から見てほぼＵ字形をなし、紙葉に対する押え面を構成する底面板５９とその前後両縁部から直立する前後板５７、５８（図６）とから構成されている。ばね部材４０の捩りコイル部４１及び操作部材１２の一端を支持するための水平軸５１が前後板５７、５８の水平方向のほぼ中央部に設けられており、更に、その両側にはリンク１６、１７の上端の軸部５０、５２を枢着するための軸受孔が設けられている。
【００２１】
押え部材１３の一端部に近接してロック部材４４が設けられる。この例ではロック部材４４は単なるカギ状突起であるが、先に述べたように公知のロック解除手段付きの任意のロック手段を採用しても良い。ロック部材４４は操作部材１２の縁部と係合して操作部材１２が移動できないようにできるが、そのためには図２のよう操作部材１２が前後に移動できるように操作部材１２と後板５８との間に若干の隙間が必要である。
【００２２】
操作部材１２は押え部材１３に固定された水平軸５１に一端部が支承されており、使用者が手で図４の矢印の方向に操作することができる。操作部材１２の底面にはばね部材４０の第２脚部４３を固定するための任意の固定手段が設けられている。
【００２３】
ばね部材４０は捩りコイル部４１と、コイル部の一端から延びる第１脚部４２と、コイル部の他端から延びる第２脚部４３とからなり、コイル部４１が押え部材１３の水平軸５１に支持され、第１脚部４２の下端部の軸部４８が前記ベース板１１のストッパ板４５に設けた軸受孔に枢着され、第２脚部４３が前記操作部材１２の底面に沿いつけられ適当な固定手段で固定されている。第１脚部４２は下端部の水平軸５１から上に延び、図２〜３から分かるようにその中間部で押え部材１３の後面板５８を貫通してその内側に入り、次いで水平軸５１の周りでコイル状に巻かれコイル部４１を形成し、最後にコイル部の他端から操作部材１２の底面に沿って延び、図示しない固定手段でそこに固定されている。
【００２４】
図４に示した押え部材１３の開放位置では、ばね部材４０は負荷がかからない状態にある。図１の紙葉を挟まない状態での閉鎖位置でも、鎖線で示したように操作部材１２がフリーの位置にあると、ばね部材４０は同様に負荷されないで同じ形状を保っている。
【００２５】
一方、図１の実線で示した閉鎖状態ではロックがかかった状態であり、操作部材１２の実線で示した位置と鎖線で示した位置の間の角度α（紙葉が無い場合）はロック位置で充分な押え力がベース板１１の紙葉保持領域２０に作用するように設計されている。角度αはばねの強度に依存するので一概には言えないが、例えば５〜４０度程度が適当であろう。ばねの強さが大きい場合には角度αは小さくて良いが、操作性が悪くなるので、あまり強すぎないがある程度強いばねを使用し、コイル部４１の巻数を多くすれば紙葉の枚数が多くなっても容易な操作で確実に紙葉を綴じることが可能となる。この点は試行により容易に決定できる。
【００２６】
リンク１６、１７は押え部材１３を平行に維持するための手段であり、図６のように逆Ｌ字形をなし（図７では１６が見えている）、下端の軸部４７、４９がストッパ板４５の基部近傍に設けた軸受孔に支持され、中間の垂直部を経て上側の水平軸部が押え部材１３の前後板５７、５８を貫通し、前後板に設けられた軸受孔に枢着されている。垂直部分の長さはばね部材の第１脚部４２の長さとほぼ等しく定められている。なお、図７のように各リンク１６、１７をコ字形に形成し、下端の水平部分の両端の軸部４７、４９をベース板１１に設けた軸受孔にそれぞれ枢着させる。ただしこの場合には美観を考えて適宜のカバーをこの部分に施すことが望ましい。
【００２７】
以上のように、本発明の押圧式綴具は、ベース板１１と、ベース板１１に対して離間接近可能に設けられた押え部材１３と、押え部材１３に一端が枢着された移動可能な操作部材１２とが上下重畳関係に配置され、ベース板１１と押え部材１３はそれらにそれぞれ枢着された端部を有するリンク部材１６、１７により平行関係を維持するように相互連結され、ばね部材４０がその第１脚部４２の下端でベース板１１に枢着され、その中間のコイル部４１で押え部材１３の水平軸５１に支持され、その第２脚部４３が操作部材１２に固定されている。そして、ばね部材４０の第１脚部４２と操作部材１２とがなす角度αはロック時に充分な押圧力が紙葉に作用するように定められる。
【００２８】
動作
以上の構成を有する本発明の押圧式綴具の使用方法を説明する。
先ず操作部材１２を図４の位置にする。次いで所望の枚数の紙葉をベース板１１の紙葉保持領域２０に載せ、操作部材１２を矢印の方向に倒す。これによりばね部材４０を介して押え部材１３が図１の位置に移動させられる。紙葉が一枚程度の場合には操作部材１２に負荷を掛けなければ操作部材１２は角度αの鎖線で示した位置に来る。紙葉が多ければ角度はαよりも当然大きくなる。
【００２９】
次いで操作部材１２を最下位置まで押し込みロック部材４４に係止させると、ばね部材４０からの押圧力が押え部材１３を介して紙葉に加わる。状態は紙葉一枚程度の場合で図１〜３の実線で示されている。紙葉が多数枚の場合には図５に示されている。逆に紙葉を補充又は交換するためには、単にロック部材４４から操作部材１２を外せば、ばね部材４０から押え部材１３に加わる押圧力が解除されるので、操作部材１２を引き上げ、図４の状態に戻して必要な挿脱を行う。
【図面の簡単な説明】
【００３０】
【図１】本発明の実施例による押圧式綴具の閉鎖状態を示す正面図である。
【図２】本発明の実施例による押圧式綴具の閉鎖状態を示す平面図である。
【図３】本発明の実施例による押圧式綴具の閉鎖状態を示す背面図である。
【図４】本発明の実施例による綴具の開放状態を示す正面図である。
【図５】本発明の綴具の使用状態を示す正面図である。
【図６】本発明の綴具の使用状態を示す左側面図である。
【図７】別の形態のリンクを有する綴具の左側面図である。
【図８】従来の押圧式綴具の斜視図である。
【符号の説明】
【００３１】
１１  ベース板
１２  操作部材
１３  押え部材
１６、１７  リンク部材
２０  紙葉保持領域
４０  ばね部材
４１  捩りコイル部
４２  第１脚部
４３  第２脚部
４４  ロック部材
４７、４８、４９  軸部
５０、５２  軸部
５１  水平軸
５３、５４、５５、５６  逃げ
５７  前面板
５８  後面板
５９  底面板
【図１】
2005186569.tif 000003
【図２】
2005186569.tif 000004
【図３】
2005186569.tif 000005
【図４】
2005186569.tif 000006
【図５】
2005186569.tif 000007
【図６】
2005186569.tif 000008
【図７】
2005186569.tif 000009
【図８】
2005186569.tif 000010